(57)【特許請求の範囲】
【請求項１】
ユーザのロック解除の操作に基づき、スクリーンロックを解除するステップと、
あらかじめ配置された配置情報に基づき第１アプリケーション内インターフェースにジャンプするステップと、を含み、
前記アプリケーション内インターフェースとはアプリケーションのホームインターフェース以外の当該アプリケーションにかかる他のインターフェースを指し、前記配置情報は前記第１アプリケーション内インターフェースを表示するために用いられ、
前記配置情報は所定のａｃｔｉｏｎパラメータを含み、
前記あらかじめ配置された配置情報に基づき第１アプリケーション内インターフェースにジャンプするステップは、
前記ａｃｔｉｏｎパラメータに基づき、前記第１アプリケーション内インターフェースを特定し、前記第１アプリケーション内インターフェースには前記ａｃｔｉｏｎパラメータを含むことが声明されるステップと、
暗黙的な呼び出しにより、前記第１アプリケーション内インターフェースにジャンプするステップと、を含み、
前記ａｃｔｉｏｎパラメータに基づき、前記第１アプリケーション内インターフェースを特定するステップは、
全てのアプリケーション内インターフェースから前記ａｃｔｉｏｎパラメータを含むことが声明される全てのアプリケーション内インターフェースを選別するステップと、
もし前記ａｃｔｉｏｎパラメータを含むことが声明される前記全てのアプリケーション内インターフェースの数が１つである場合には、前記アプリケーション内インターフェースを前記第１アプリケーション内インターフェースと特定するステップと、
もし前記ａｃｔｉｏｎパラメータを含むことが声明される前記全てのアプリケーション内インターフェースの数が複数である場合には、前記ａｃｔｉｏｎパラメータを含むことが声明される前記全てのアプリケーション内インターフェースをユーザにプッシュし、前記ａｃｔｉｏｎパラメータを含むことが声明される全てのアプリケーション内インターフェースからユーザに選ばれたインターフェースを前記第１アプリケーション内インターフェースと特定するステップと、を含む
ことを特徴とするロック解除の方法。
【請求項２】
前記ユーザのロック解除の操作に基づき、スクリーンロックを解除するステップは、
ユーザのロック解除の操作に基づき、指紋識別を行うステップと、
指紋識別に成功した時に、スクリーンロックを解除するステップと、を含むことを特徴とする請求項１のいずれか一項に記載のロック解除の方法。
【請求項３】
前記ユーザのロック解除の操作に基づき、指紋を識別するステップは、
ユーザのロック解除の操作に基づき、Ｆｉｎｇｅｒｐｒｉｎｔ  Ｍａｎａｇｅｒの識別インターフェースを呼び出すことにより指紋を識別するステップを含むことを特徴とする請求項２に記載のロック解除の方法。
【請求項４】
ユーザのロック解除の操作に基づき、スクリーンロックを解除するためのロック解除モジュールと、
あらかじめ配置された配置情報に基づき第１アプリケーション内インターフェースにジャンプするためのジャンプモジュールと、を備え、
前記アプリケーション内インターフェースとはアプリケーションのホームインターフェース以外の当該アプリケーションにかかる他のインターフェースを指し、前記配置情報は前記第１アプリケーション内インターフェースを表示するために用いられ、
前記配置情報は所定のａｃｔｉｏｎパラメータを含み、
前記ジャンプモジュールは、
前記ａｃｔｉｏｎパラメータに基づき、前記第１アプリケーション内インターフェースを特定するように構成され、前記第１アプリケーション内インターフェースには前記ａｃｔｉｏｎパラメータを含むことが声明される第２取得サブモジュールと、
暗黙的な呼び出しにより、前記第２取得サブモジュールが特定した前記第１アプリケーション内インターフェースにジャンプするようにするための第２処理サブモジュールと、を備え、
前記第２取得サブモジュールは、
全てのインターフェースから前記ａｃｔｉｏｎパラメータを含むことが声明される全てのアプリケーション内インターフェースを選別するための選別手段と、
もし前記選別手段が選別した前記ａｃｔｉｏｎパラメータを含むことが声明される前記全てのアプリケーション内インターフェースの数が１つである場合には、前記アプリケーション内インターフェースを前記第１アプリケーション内インターフェースと特定するための第１配置手段と、
もし前記選別手段が選別した前記ａｃｔｉｏｎパラメータを含むことが声明される前記全てのアプリケーション内インターフェースの数が複数である場合には、前記ａｃｔｉｏｎパラメータを含むことが声明される前記全てのアプリケーション内インターフェースをユーザにプッシュするためのプッシュ手段と、
前記プッシュ手段がプッシュした前記ａｃｔｉｏｎパラメータを含むことが声明される全てのアプリケーション内インターフェースからユーザに選ばれたインターフェースを前記第１アプリケーション内インターフェースと特定するための第２配置手段と、を備える
ことを特徴とするロック解除の装置。
【請求項５】
前記ロック解除モジュールは、
ユーザのロック解除の操作に基づき、指紋を識別するようにするための指紋識別サブモジュールと、
前記指紋識別サブモジュールで指紋識別に成功した時、スクリーンをロック解除するようにするためのロック解除サブモジュールと、を備えることを特徴とする請求項４に記載のロック解除の装置。
【請求項６】
前記指紋識別サブモジュールは、
ユーザのロック解除の操作に基づき、Ｆｉｎｇｅｒｐｒｉｎｔ  Ｍａｎａｇｅｒの識別インターフェースを呼び出すことにより指紋を識別するための呼び出し手段を備えることを特徴とする請求項５に記載のロック解除の装置。
【請求項７】
プロセッサと、
プロセッサの実行可能な指令を記憶するためのメモリと、を含み
ただし、前記プロセッサは、ユーザのロック解除の操作に基づき、スクリーンロックを解除し、あらかじめ配置された配置情報に基づき、第１アプリケーション内インターフェースにジャンプするように構成され、前記アプリケーション内インターフェースとはアプリケーションのホームインターフェース以外の当該アプリケーションにかかる他のインターフェースを指し、前記配置情報は前記第１アプリケーション内インターフェースを表示するために用いられ、
前記配置情報は所定のａｃｔｉｏｎパラメータを含み、
前記あらかじめ配置された配置情報に基づき第１アプリケーション内インターフェースにジャンプすることは、
前記ａｃｔｉｏｎパラメータに基づき、前記第１アプリケーション内インターフェースを特定し、前記第１アプリケーション内インターフェースには前記ａｃｔｉｏｎパラメータを含むことが声明されることと、
暗黙的な呼び出しにより、前記第１アプリケーション内インターフェースにジャンプすることと、を含み、
前記ａｃｔｉｏｎパラメータに基づき、前記第１アプリケーション内インターフェースを特定することは、
全てのアプリケーション内インターフェースから前記ａｃｔｉｏｎパラメータを含むことが声明される全てのアプリケーション内インターフェースを選別することと、
もし前記ａｃｔｉｏｎパラメータを含むことが声明される前記全てのアプリケーション内インターフェースの数が１つである場合には、前記アプリケーション内インターフェースを前記第１アプリケーション内インターフェースと特定することと、
もし前記ａｃｔｉｏｎパラメータを含むことが声明される前記全てのアプリケーション内インターフェースの数が複数である場合には、前記ａｃｔｉｏｎパラメータを含むことが声明される前記全てのアプリケーション内インターフェースをユーザにプッシュし、前記ａｃｔｉｏｎパラメータを含むことが声明される全てのアプリケーション内インターフェースからユーザに選ばれたインターフェースを前記第１アプリケーション内インターフェースと特定することと、を含む
ことを特徴とするロック解除の装置。
【発明の詳細な説明】
【技術分野】
【０００１】
本発明は、ソフトウェア応用分野に関し、特にロック解除の方法および装置に関する。
【背景技術】
【０００２】
指紋識別の技術の普及に伴って、指紋モジュールもすでに先端技術装置における特有の装置ではなっている。指紋識別の技術に基づき、生物情報である指紋をロック解除の装置またはクイック支払等の機能に用いられることができる。
【０００３】
通常の指紋識別によるロック解除案はただ携帯電話をロック解除し、ホームスクリーンの表示インターフェースに入ることだけに用いられ、他の追加機能はなかった。
【発明の概要】
【発明が解決しようとする課題】
【０００４】
本発明はロック解除の方法および装置を提供する。関連技術案は以下の通りである。
【課題を解決するための手段】
【０００５】
本発明の実施例にかかる第１の態様によれば、ロック解除の方法を提供する。当該ロック解除の方法は、
ユーザのロック解除の操作に基づき、スクリーンロックを解除するステップと、
あらかじめ配置された配置情報に基づき第１アプリケーション内インターフェースにジャンプするステップと、を含み、
前記アプリケーション内インターフェースとはアプリケーションのホームインターフェース以外の当該アプリケーションにかかる他のインターフェースを指し、前記配置情報は前記第１アプリケーション内インターフェースを表示するために用いられる。  
さらに、前記配置情報は、
前記第１アプリケーション内インターフェースのインターフェース識別子を含み、
前記あらかじめ配置された配置情報に基づき第１アプリケーション内インターフェースにジャンプするステップは、
前記第１アプリケーション内インターフェースのインターフェース識別子に基づき、前記第１アプリケーション内インターフェースを特定するステップと、
明示的な呼び出しにより、前記第１アプリケーション内インターフェースにジャンプするステップと、を含む。
【０００６】
さらに、前記配置情報は所定のａｃｔｉｏｎパラメータを含み、
前記あらかじめ配置された配置情報に基づき第１アプリケーション内インターフェースにジャンプするステップは、
前記ａｃｔｉｏｎパラメータに基づき、前記第１アプリケーション内インターフェースを特定し、前記第１アプリケーション内インターフェースには前記ａｃｔｉｏｎパラメータを含むことが声明されるステップと、
暗黙的な呼び出しにより、前記第１アプリケーション内インターフェースにジャンプするステップと、を含む。
【０００７】
さらに、前記ａｃｔｉｏｎパラメータに基づき、前記第１アプリケーション内インターフェースを特定するステップは、
全てのアプリケーション内インターフェースから前記ａｃｔｉｏｎパラメータを含むことが声明される全てのアプリケーション内インターフェースを選別するステップと、
もし前記ａｃｔｉｏｎパラメータを含むことが声明される前記全てのアプリケーション内インターフェースの数が１つである場合には、前記アプリケーション内インターフェースを前記第１アプリケーション内インターフェースと特定するステップと、
もし前記ａｃｔｉｏｎパラメータを含むことが声明される前記全てのアプリケーション内インターフェースの数が複数である場合には、前記ａｃｔｉｏｎパラメータを含むことが声明される前記全てのアプリケーション内インターフェースをユーザにプッシュし、前記ａｃｔｉｏｎパラメータを含むことが声明される全てのアプリケーション内インターフェースからユーザに選ばれたインターフェースを前記第１アプリケーション内インターフェースと特定するステップと、を含む。
【０００８】
さらに、前記ユーザのロック解除の操作に基づき、スクリーンロックを解除するステップは、
ユーザのロック解除の操作に基づき、指紋識別を行うステップと、
指紋識別に成功した時に、スクリーンロックを解除するステップと、を含む。
【０００９】
さらに、前記ユーザのロック解除の操作に基づき、指紋を識別するステップは、
ユーザのロック解除の操作に基づき、Ｆｉｎｇｅｒｐｒｉｎｔ  Ｍａｎａｇｅｒの識別インターフェースを呼び出すことにより指紋を識別するステップを含む。
【００１０】
本発明の実施例にかかる第２の態様によれば、ロック解除の装置を提供する。当該ロック解除の装置は、
ユーザのロック解除の操作に基づき、スクリーンロックを解除するためのロック解除モジュールと、
あらかじめ配置された配置情報に基づき第１アプリケーション内インターフェースにジャンプするためのジャンプモジュールと、を備え、
前記アプリケーション内インターフェースとはアプリケーションのホームインターフェース以外の当該アプリケーションにかかる他のインターフェースを指し、前記配置情報は前記第１アプリケーション内インターフェースを表示するために用いられる。
【００１１】
さらに、前記配置情報は前記第１アプリケーション内インターフェースのインターフェース識別子を含み、
前記ジャンプモジュールは、
前記第１アプリケーション内インターフェースのインターフェース識別子に基づき、前記第１アプリケーション内インターフェースを特定するための第１取得サブモジュールと、
明示的な呼び出しにより、前記第１取得サブモジュールが特定した前記第１アプリケーション内インターフェースにジャンプするための第１処理サブモジュールと、を備える。
【００１２】
さらに、前記配置情報は所定のａｃｔｉｏｎパラメータを含み、
前記ジャンプモジュールは、
前記ａｃｔｉｏｎパラメータに基づき、前記第１アプリケーション内インターフェースを特定するように構成され、前記第１アプリケーション内インターフェースには前記ａｃｔｉｏｎパラメータを含むことが声明される第２取得サブモジュールと、
暗黙的な呼び出しにより、前記第２取得サブモジュールが特定した前記第１アプリケーション内インターフェースにジャンプするようにするための第２処理サブモジュールと、を備える。
【００１３】
さらに、前記第２取得サブモジュールは、
全てのインターフェースから前記ａｃｔｉｏｎパラメータを含むことが声明される全てのアプリケーション内インターフェースを選別するための選別手段と、
もし前記選別手段が選別した前記ａｃｔｉｏｎパラメータを含むことが声明される前記全てのアプリケーション内インターフェースの数が１つである場合には、前記アプリケーション内インターフェースを前記第１アプリケーション内インターフェースと特定するための第１配置手段と、
もし前記選別手段が選別した前記ａｃｔｉｏｎパラメータを含むことが声明される前記全てのアプリケーション内インターフェースの数が複数である場合には、前記ａｃｔｉｏｎパラメータを含むことが声明される前記全てのアプリケーション内インターフェースをユーザにプッシュするためのプッシュ手段と、
前記プッシュ手段がプッシュした前記ａｃｔｉｏｎパラメータを含むことが声明される全てのアプリケーション内インターフェースからユーザに選ばれたインターフェースを前記第１アプリケーション内インターフェースと特定する。
【００１４】
さらに、前記ロック解除モジュールは、
ユーザのロック解除の操作に基づき、指紋を識別するようにするための指紋識別サブモジュールと、
前記指紋識別サブモジュールで指紋識別に成功した時、スクリーンをロック解除するようにするためのロック解除サブモジュールと、を備える。
【００１５】
さらに、前記指紋識別サブモジュールは、
ユーザのロック解除の操作に基づき、Ｆｉｎｇｅｒｐｒｉｎｔ  Ｍａｎａｇｅｒの識別インターフェースを呼び出すことにより指紋を識別するための呼び出し手段を備える。
【００１６】
本発明の実施例の第３の態様によれば、ロック解除の装置を提供する。前記ロック解除の装置は、
プロセッサと、
プロセッサの実行可能な指令を記憶するためのメモリと、を含み
ただし、前記プロセッサは、ユーザのロック解除の操作に基づき、スクリーンロックを解除し、あらかじめ配置された配置情報に基づき、第１アプリケーション内インターフェースにジャンプするように構成され、前記アプリケーション内インターフェースとはアプリケーションのホームインターフェース以外の当該アプリケーションにかかる他のインターフェースを指し、前記配置情報は前記第１アプリケーション内インターフェースを表示するために用いられる。
【発明の効果】
【００１７】
本発明の実施例にかかる技術案は、以下の格別な作用効果を含むことができる。
【００１８】
ユーザがロック解除の操作により、スクリーンロックの解除をトリガーした後に、あらかじめ配置された配置情報に基づき、相応のアプリケーション内インターフェースに直接ジャンプすることができる。当該アプリケーション内インターフェースとはアプリケーションのホームインターフェース以外のインターフェースを指す。当該端末がスクリーンロックされた状態で、ユーザはロック解除をトリガーする動作をするだけで、直ちに相応のアプリケーション内インターフェースにジャンプすることができ、スクリーンロックの解除からアプリケーションの選び、そして当該アプリケーションにおけるアプリケーション内インターフェースに至るまでの所要時間を大幅に減少し、これにより、ユーザの操作を簡略化し、ユーザの操作の煩雑さを低減する。
【００１９】
上述した一般的な記述および後続する詳細な記述は、単に例示的および解釈的なものであり、本発明を制限できるものでないと理解されるべきである。
【図面の簡単な説明】
【００２０】
ここでの図面は、明細書を構成する一部として見なされ、本発明に適した実施例を示し、かつ、明細書の文字記載とともに本発明の仕組みを解釈するために用いられる．
【図１Ａ】一実施例にかかるロック解除の方法を示すフローチャートである。
【図１Ｂ】別の一実施例にかかるロック解除の方法を示すフローチャートである。
【図１Ｃ】別の一実施例にかかるロック解除の方法を示すフローチャートである。
【図１Ｄ】一実施例にかかるスクリーンロックのインターフェースの模式図である。
【図１Ｅ】一実施例にかかるアプリケーション内インターフェースの模式図である。
【図１Ｆ】別の一実施例にかかるアプリケーション内インターフェースの模式図である。
【図２】別の一実施例にかかるロック解除の方法を示すフローチャートである。
【図３Ａ】別の一実施例にかかるロック解除の方法を示すフローチャートである。
【図３Ｂ】別の一実施例にかかるロック解除の方法を示すフローチャートである。
【図４Ａ】一実施例にかかるロック解除の装置を示す構成図である。
【図４Ｂ】別の一実施例にかかるロック解除の装置を示す構成図である。
【図４Ｃ】別の一実施例にかかるロック解除の装置を示す構成図である。
【図５】別の一実施例にかかるロック解除の装置を示す構成図である。
【図６Ａ】別の一実施例にかかるロック解除の装置を示す構成図である。
【図６Ｂ】別の一実施例にかかるロック解除の装置を示す構成図である。
【図７】一実施例にかかるロック解除の装置を示すブロック図である。
【図８】一実施例にかかるロック解除装置８００を示すブロック図である。
【００２１】
ここでの図面は、明細書を構成する一部として見なされ、本発明に適した実施例を示し、かつ、明細書の文字記載とともに本発明の仕組みを解釈するために用いられる。
【発明を実施するための形態】
【００２２】
次に、実施例を詳細に説明し、例示が図に示されている。以下の記述が図にかかる場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付する特許請求の範囲に記載されているように、本発明の一部の態様と一致する装置および方法の例に過ぎない。
【００２３】
まず、本発明の実施例にかかる幾つの名詞について解釈する。
【００２４】
アプリケーションとは、端末にインストールするアプリケーションプログラムを指す。
【００２５】
スマート端末とは、キーボード、タッチパネル、または音声制御装置を介してユーザとマンマシン相互作用を行うことのできる、例えば、携帯、スマートフォン等の如何なる実物電子製品を含んでもよいが、それに限定されない。当業者にとって、他のスマート端末がいかに本発明に適用されるかも本発明の保護範囲内に含まれるべきであることを理解されるべきである。
【００２６】
図１Ａは、一実施例にかかるロック解除の方法を示すフローチャートであり、図１Ａに示すように、本実施例では当該ロック解除の方法をロック解除の装置に応用することを例にして説明し、当該ロック解除方法は以下の幾つのステップを含んでもよい。
【００２７】
ステップ１０１では、ユーザのロック解除の操作に基づき、スクリーンロックを解除する。
【００２８】
ただし、本実施例にかかる実行主体はロック解除の装置であってもよい。当該ロック解除の装置はスマート端末にも適用され、ユーザはスマート端末の交互インターフェースを介して相応の操作、例えば、ホームボタン等を押してロック解除する操作を行い、スクリーンロック解除の実行をトリガーしてもよい。
【００２９】
ただし、実際の応用場面を例にして説明すると、
ユーザがアプリケーション内インターフェースに入る時、まずスクリーンロックを解除すべきである。本案において、ユーザはロック解除の操作によりロック解除をトリガーし、ロック解除の装置はユーザのロック解除の操作に基づき、スクリーンロックを解除することにより、引き続きの案を実行する。
【００３０】
ステップ１０２では、あらかじめ配置された配置情報に基づき、第１アプリケーション内インターフェースにジャンプする。アプリケーション内インターフェースとは、アプリケーションホームインターフェース以外の当該アプリケーションにかかる他のインターフェースを指し、配置情報は第１アプリケーション内インターフェースを表示するために用いられる。
【００３１】
相変わらず、上記実際の応用場面を例にして説明すると、
ロック解除装置でスクリーンロックを解除した後に、あらかじめ配置された配置情報に基づき、スクリーンの現在インターフェースから相応のアプリケーション内インターフェースにジャンプする。前記配置情報は当該アプリケーション内インターフェースを表示するために用いられる。
【００３２】
具体的には、配置情報により第１アプリケーション内インターフェースを表示する形態は複数もあってもよく、ここで、本実施例はそれについて限定しない。
【００３３】
好ましくは、ロック解除の形態は複数もあってもよい。例えば、指紋解除であり、それ相応に、図１Ｂに示すように、図１Ｂは別の一実施例にかかるロック解除の方法を示すフローチャートであり、図１Ａに加えて、ステップ１０１は具体的には以下のステップを含んでもよい。
【００３４】
ステップ１０３では、ユーザのロック解除の操作に基づき、指紋識別を行う。
【００３５】
ステップ１０４では、指紋識別に成功した時に、スクリーンロックを解除する。
【００３６】
具体的には、ユーザはロック解除の操作、例えば、スクリーンロック解除ボタンまたはホームボタンを押す操作により、指紋ロック解除をトリガーした後に、指を指紋センサに押し、指紋識別技術により、スクリーンロックされた段階で指紋センサを介して採集された指紋データを取得すると共に計算を行い、計算結果とユーザがあらかじめ登録した指紋データとを比較する。もし、あらかじめ登録されたいずれかの指紋データとのマッチングに成功したら、指紋認証をパスしたと認め、スクリーンロックを解除する。
【００３７】
実際の応用において、ロック解除装置は指紋ロック解除するためには指紋識別機能をサポートおよび有する必要がある。現在の端末のシステムを例にすると、スクリーンロックを解除する時に、システムはＦｉｎｇｅｒｐｒｉｎｔ  Ｍａｎａｇｅｒの識別インターフェース、例えば、Ａｎｄｒｏｉｄ  Ｍ版におけるＦｉｎｇｅｒｐｒｉｎｔ  Ｍａｎａｇｅｒ．ａｕｔｈｅｎｔｉｃａｔｅを呼び出して、指紋を識別し、マッチング成功という結果を得てから、スクリーンロックを解除する。それ相応に、図１Ｃに示すように、図１Ｃは別の一実施例にかかるロック解除の方法を示すフローチャートであり、図１Ｂに加えて、ステップ１０３は具体的には以下のステップを含んでもよい。
【００３８】
ステップ１０５では、ユーザのロック解除の操作に基づき、Ｆｉｎｇｅｒｐｒｉｎｔ  Ｍａｎａｇｅｒの識別インターフェースを呼び出すことにより、指紋を識別する。
【００３９】
ただし、アプリケーション内インターフェースとは、あるアプリケーションにおいて、当該アプリケーションにおけるアプリケーションのホームインターフェース以外の当該アプリケーションにおける他のインターフェース、例えば、第２段インターフェース、第３段インターフェース等を指す。例を挙げると、図１Ｄ−図１Ｆに示すように、図１Ｄは一実施例にかかるスクリーンロックのインターフェースの模式図であり、図１Ｅは一実施例にかかるアプリケーション内インターフェースの模式図であり、図１Ｆは別の一実施例にかかるアプリケーション内インターフェースの模式図である。
【００４０】
本実施例にかかる案に基づき、初期時のインターフェースは図１Ｄに示すようにスクリーンロックのインターフェースに位置し、ユーザが指紋識別を行うことにより、スクリーンロックが解除され、ロック解除されてからあらかじめ配置された配置情報に基づき、相応のアプリケーション内インターフェース、例えば、図１Ｅに示す微博（Ｗｅｉｂｏ）のアプリケーション内インターフェース、つまり、新しい微博の投稿のインターフェースにジャンプし、または図１Ｆに示す微信（ＷｅＣｈａｔ）のアプリケーション内インターフェース、つまり微信の支払いインターフェースにジャンプする。
【００４１】
要するに、本実施例にかかるロック解除の方法では、ユーザはロック解除の操作により、スクリーンロックの解除をトリガーした後に、あらかじめ配置された配置情報に基づき、相応のアプリケーション内インターフェースに直接ジャンプする。当該アプリケーション内インターフェースとはアプリケーションのホームインターフェース以外のインターフェースを指す。端末がスクリーンロックされた状態で、ユーザはロック解除をトリガーする動作をするだけで、相応のアプリケーション内インターフェースにジャンプすることができ、スクリーンのロック解除からアプリケーションの選び、そして当該アプリケーションにおけるアプリケーション内インターフェースに至るまでの所要時間が大幅に減少され、これにより、ユーザの操作が簡略化され、ユーザの操作の煩雑さが低下される。
【００４２】
好ましくは、インターフェースの識別子によりジャンプすべき目標インターフェースを表示してもよい。それ相応に、図２に示すように、図２は別の一実施例にかかるロック解除の方法を示すフローチャートであり、本実施例では当該ロック解除の方法をロック解除の装置に応用することを例にして説明し、図１Ａ乃至図１Ｃに示すいずれかの実施形態に加えて、配置情報は第１アプリケーション内インターフェースのインターフェース識別子を含んでもよく、それ相応に、ステップ１０２は具体的に以下の幾つのステップを含んでもよい。
【００４３】
ステップ２０１では、第１アプリケーション内インターフェースのインターフェース識別子に基づき、第１アプリケーション内インターフェースを特定する。
【００４４】
ステップ２０２では、明示的な呼び出しにより、第１アプリケーション内インターフェースにジャンプする。
【００４５】
ただし、インターフェース識別子は第１アプリケーション内インターフェースを一意に識別するために用いられ、実際の応用では、インターフェース識別子は多種の形態があってもよく、例えば、インターフェースの名称、インターフェースのディレクトリ、またはインターフェースの配列番号等であってもよく、ここで、本実施例はそれについて限定しない。具体的には、あるインターフェースにジャンプする形態も多種あってもよい。例えば、明示的な呼び出しにより、配置情報中のインターフェース識別子に対応するアプリケーション内インターフェースを呼び出してもよい。
【００４６】
実際の応用場面を例にして説明すると、
ロック解除の装置はユーザのロック解除の操作に基づき、スクリーンロックを解除し、あらかじめ配置された配置情報に基づき、スクリーンの現在のインターフェースから相応のアプリケーション内インターフェースにジャンプし、前記配置情報は当該アプリケーション内インターフェースのインターフェース識別子を含む。
【００４７】
要するに、本実施例にかかるロック解除の方法において、配置情報はジャンプすべきアプリケーション内インターフェースのインターフェース識別子を含み、当該配置情報に基づき、スクリーンロックを解除してからアプリケーション内インターフェースのインターフェース識別子に基づき、明示的な呼び出しにより、相応のアプリケーション内インターフェースにジャンプするため、ユーザの操作が簡略化され、ユーザの操作の煩雑さが低下される。
【００４８】
好ましくは、さらに特定のａｃｔｉｏｎパラメータを介してジャンプすべき目標インターフェースを表示してもよい。それ相応に、図３Ａに示すように、図３Ａは別の一実施例にかかるロック解除の方法を示すフローチャートであり、本実施例では当該方法をロック解除の装置に応用することを例にして説明し、図１Ａ乃至図１Ｃに示すいずれかの実施形態に加えて、配置情報は所定のａｃｔｉｏｎパラメータを含んでもよく、それ相応に、ステップ１０２は具体的に以下の幾つのステップを含んでもよい。
【００４９】
ステップ３０１では、ａｃｔｉｏｎパラメータに基づき、第１アプリケーション内インターフェースを特定し、前記第１アプリケーション内インターフェースにはａｃｔｉｏｎパラメータを含むことが声明される。
【００５０】
ステップ３０２では、暗黙的な呼び出しにより、前記第１アプリケーション内インターフェースにジャンプする。
【００５１】
具体的には、あるインターフェースにジャンプする形態は複数あってもよい。例えば、暗黙的な呼び出しにより、配置情報中のａｃｔｉｏｎパラメータを含むことが声明されるアプリケーション内インターフェースを呼び出してもよい。
【００５２】
実際の応用場面を例にして説明すると、
ロック解除の装置はユーザのロック解除の操作に基づき、スクリーンロックを解除し、かつ所定のａｃｔｉｏｎパラメータを含んだ配置情報に基づき、当該ａｃｔｉｏｎパラメータを含むことが声明されるアプリケーション内インターフェースを特定し、かつ暗黙的な呼び出しにより、当該アプリケーション内インターフェースにジャンプする。
【００５３】
実際の応用では、あるａｃｔｉｏｎパラメータを含むことが声明されるアプリケーション内インターフェースは１つでもよく、複数でもよい。あるａｃｔｉｏｎパラメータを含むことが声明されてアプリケーション内インターフェースの数が１つである場合には、直接暗黙的な呼び出しにより、当該アプリケーション内インターフェースにジャンプすることができる。あるａｃｔｉｏｎパラメータを含むことが声明されるアプリケーション内インターフェースの数が複数である場合には、ユーザの必要に応じて、ジャンプすべきインターフェースをさらに特定する。
【００５４】
それ相応に、図３Ｂに示すように、図３Ｂは別の一実施例にかかるロック解除の方法を示すフローチャートであり、本実施例では当該ロック解除の方法をロック解除の装置に応用することを例にして説明し、図３Ａに示す実施形態に加えて、ステップ３０１は具体的に以下の幾つのステップを含んでもよい。
【００５５】
ステップ３０３では、全てのアプリケーション内インターフェースから前記ａｃｔｉｏｎパラメータを含むことが声明される全てのアプリケーション内インターフェースを選別する。
【００５６】
ステップ３０４では、もし前記ａｃｔｉｏｎパラメータを含むことが声明される全てのアプリケーション内インターフェースの数が１つであれば、前記アプリケーション内インターフェースを前記第１アプリケーション内インターフェースと特定する。
【００５７】
ステップ３０５では、もし前記ａｃｔｉｏｎパラメータを含むことが声明される全てのアプリケーション内インターフェースの数が複数であれば、前記ａｃｔｉｏｎパラメータを含むことが声明される全てのアプリケーション内インターフェースをユーザにプッシュし、かつ前記ａｃｔｉｏｎパラメータを含むことが声明される全てのアプリケーション内インターフェースからユーザに選ばれたインターフェースを前記第１アプリケーション内インターフェースと特定する。
【００５８】
実際の応用場面を例にして説明すると、
ロック解除の装置はユーザのロック解除の操作に基づき、スクリーンロックを解除し、所定のａｃｔｉｏｎパラメータを含んだ配置情報に基づき、まず全てのアプリケーション内インターフェースから当該ａｃｔｉｏｎパラメータを含むことが声明される全てのアプリケーション内インターフェースを選別し、当該ａｃｔｉｏｎパラメータを含むことが声明されるアプリケーション内インターフェースの数に基づき、もし当該ａｃｔｉｏｎパラメータを含むことが声明されるアプリケーション内インターフェースの数が１つであれば、当該アプリケーション内インターフェースをジャンプすべきである第１アプリケーション内インターフェースと特定し、かつ暗黙的な呼び出しにより、当該アプリケーション内インターフェースにジャンプする。もし当該ａｃｔｉｏｎパラメータを含むことが声明されるアプリケーション内インターフェースの数が複数であれば、これらのアプリケーション内インターフェースをユーザにプッシュし、その中からユーザに選ばれたインターフェースをジャンプすべきアプリケーション内インターフェースと特定し、かつ暗黙的な呼び出しにより、当該アプリケーション内インターフェースにジャンプする。
【００５９】
ただし、前記ａｃｔｉｏｎパラメータは必要に応じて設けても良い。例えば、システムＡＣＴＩＯＮ定数の「ｍｉｕｉ．ｆｉｎｇｅｒｐｒｉｎｔ．ｑｕｉｃｋｌａｕｎｃｈ」でもよい。本実施例では、暗黙的な呼び出しにより、スクリーンロックを解除してからジャンプすべきアプリケーション内インターフェースを新しく追加すべきである時には、当該アプリケーション内インターフェースにおいて配置情報中のａｃｔｉｏｎパラメータを声明すればよい。引き続いて、スクリーンロックを解除した後に、当該アプリケーション内インターフェースを前記ａｃｔｉｏｎパラメータを含むことが声明されるアプリケーション内インターフェースとして、ユーザにプッシュし、さらにユーザの選択に基づき、当該アプリケーション内インターフェースにジャンプする。
【００６０】
要するに、本実施例にかかるロック解除の方法において、配置情報はａｃｔｉｏｎパラメータを含み、当該配置情報に基づき、スクリーンロックを解除した後に、当該ａｃｔｉｏｎパラメータを含むことが声明されるアプリケーション内インターフェースに基づき、ジャンプすべきアプリケーション内インターフェースを特定し、暗黙的な呼び出しにより、相応のアプリケーション内インターフェースにジャンプするため、ユーザの操作が簡略化され、ユーザの操作の煩雑さが低下され、かつ、スクリーンロックを解除してからジャンプすべきアプリケーション内インターフェースを新しく追加すべきである時には、当該アプリケーション内インターフェースにおいて配置情報中のａｃｔｉｏｎパラメータを声明すればよいため、配置の利便性が向上する。
【００６１】
図４Ａは一実施例にかかるロック解除の装置を示す構成図であり、図４Ａに示すように、当該ロック解除の装置は、
ユーザのロック解除の操作に基づき、スクリーンロックを解除するように構成されるロック解除モジュール４１と、
あらかじめ配置された配置情報に基づき第１アプリケーション内インターフェースにジャンプするように構成されるジャンプモジュール４２と、を備えてもよい。アプリケーション内インターフェースとはアプリケーションのホームインターフェース以外の当該アプリケーションの他のインターフェースを指し、配置情報は第１アプリケーション内インターフェースを表示するためのものである。
【００６２】
ただし、当該ロック解除の装置はスマート端末に応用することができる。ユーザはスマート端末との交互インターフェースを介して操作し、指紋識別の実行をトリガーしてもよい。
【００６３】
ただし、実際の応用場面を例にして説明すると、
ユーザはロック解除の操作によりロック解除をトリガーし、ロック解除モジュール４１はユーザのロック解除の操作に基づき、スクリーンロックを解除し、ジャンプモジュール４２はあらかじめ配置された配置情報に基づき、スクリーンを現在のインターフェースから相応のアプリケーション内インターフェースにジャンプさせる。前記配置情報は当該アプリケーション内インターフェースを表示するために用いられる。
【００６４】
具体的には、配置情報が第１アプリケーション内インターフェースを表示する形態は複数あってもよく、ここで、本実施例はそれについて限定しない。
【００６５】
好ましくは、ロック解除モジュール４１がスクリーンロックを解除する形態は複数あってもよく、例えば、指紋解除である。それ相応に、図４Ｂに示すように、図４Ｂは別の一実施例にかかるロック解除の装置を示す構成図であり、図４Ａに加えて、ロック解除モジュール４１は、
ユーザのロック解除の操作に基づき、指紋識別を行うように構成される指紋識別サブモジュール４１１と、
指紋識別に成功した時に、スクリーンロックを解除するように構成されるロック解除サブモジュール４１２と、を備えてもよい。
【００６６】
実際の応用では、ロック解除装置は指紋識別機能をサポートおよび具備する必要がある。現在の端末システムを例にすると、スクリーンロックを解除する時に、システムはＦｉｎｇｅｒｐｒｉｎｔ  Ｍａｎａｇｅｒの識別インターフェースを呼び出し、指紋を識別し、マッチングに成功したという結果を得てから、スクリーンロックを解除する。それ相応に、図４Ｃに示すように、図４Ｃは別の一実施例にかかるロック解除の装置を示す構成図であり、図４Ｂに加えて、指紋識別サブモジュール４１１は、具体的に、
ユーザのロック解除の操作に基づき、Ｆｉｎｇｅｒｐｒｉｏｎｔ  Ｍａｎａｇｅｒの識別インターフェースを呼び出すことにより、指紋を識別するように構成される呼び出し手段４１３を備えてもよい。
【００６７】
要するに、本実施例にかかるロック解除の装置では、ユーザがロック解除の操作により、スクリーンロックの解除をトリガーした後に、あらかじめ配置された配置情報に基づき、相応のアプリケーション内インターフェースに直接ジャンプされる。当該アプリケーション内インターフェースとはアプリケーションのホームインターフェース以外のインターフェースを指す。端末がスクリーンロックされた状態において、ユーザがロック解除をトリガーする動作をするだけで、相応のアプリケーション内インターフェースにジャンプされ、スクリーンのロック解除からアプリケーションの選び、そして当該アプリケーションのアプリケーション内インターフェースに至るまでの所要時間が大幅に減少され、これにより、ユーザの操作が簡略化され、ユーザの操作の煩雑さが低下される。
【００６８】
好ましくは、インターフェースの識別子を介してジャンプすべき目標インターフェースを表示してもよい。それ相応に、図５に示すように、図５は別の一実施例にかかるロック解除の装置を示す構成図であり、図４Ａ乃至図４Ｃに示すいずれかの実施形態に加えて、配置情報は第１アプリケーション内インターフェースのインターフェース識別子を含んでもよく、それ相応に、ジャンプモジュール４２は、具体的に、
第１アプリケーション内インターフェースのインターフェース識別子に基づき、第１アプリケーション内インターフェースを特定するように構成される第１取得サブモジュール５１と、
明示的な呼び出しにより、第１取得サブモジュール５１が特定した第１アプリケーション内インターフェースにジャンプするように構成される第１処理サブモジュール５２と、を備えてもよい。
【００６９】
具体的には、あるインターフェースにジャンプする形態は複数あってもよい。例えば、第１処理サブモジュール５２は明示的な呼び出しにより、配置情報中のインターフェース識別子に対応するアプリケーション内インターフェースを呼び出してもよい。
【００７０】
実際の応用場面を例にして説明すると、
ロック解除モジュール４１はユーザのロック解除の操作に基づき、スクリーンロックを解除すし、第１取得サブモジュール５１は配置情報中のアプリケーション内インターフェースのインターフェース識別子に基づき、相応のアプリケーション内インターフェースを特定し、第１処理サブモジュール５２はスクリーンを現在のインターフェースから当該アプリケーション内インターフェースにジャンプさせる。
【００７１】
要するに、本実施例にかかるロック解除の装置では、配置情報はジャンプすべきアプリケーション内インターフェースのインターフェース識別子を含み、当該配置情報に基づき、スクリーンロックを解除してからアプリケーション内インターフェースのインターフェース識別子に基づき、明示的な呼び出しにより、相応のアプリケーション内インターフェースにジャンプするため、ユーザの操作が簡略化され、ユーザの操作の煩雑さが低下される。
【００７２】
好ましくは、さらに特定のａｃｔｉｏｎパラメータを介してジャンプすべき目標インターフェースを表示してもよい。それ相応に、図６Ａに示すように、図６Ａは別の一実施例にかかるロック解除の装置を示す構成図であり、図４Ａ乃至図４Ｃに示すいずれかの実施形態に加えて、配置情報は所定のａｃｔｉｏｎパラメータを含んでもよく、それ相応に、ジャンプモジュール４２は、具体的に、
ａｃｔｉｏｎパラメータに基づき、第１アプリケーション内インターフェースを特定し、第１アプリケーション内インターフェースにはａｃｔｉｏｎパラメータを含むことが声明されるように構成される第２取得サブモジュール６１と、
暗黙的な呼び出しにより、第２取得サブモジュール６１が特定した第１アプリケーション内インターフェースにジャンプするように構成される第２処理サブモジュール６２と、を備えてもよい。
【００７３】
具体的には、あるインターフェースにジャンプする形態は複数あってもよい。例えば、第２処理サブモジュール６２は暗黙的な呼び出しにより、配置情報中のａｃｔｉｏｎパラメータを含むことが声明されるアプリケーション内インターフェースを呼び出してもよい。
【００７４】
実際の応用場面を例にして説明すると、
ロック解除モジュール４１はユーザのロック解除の操作に基づき、スクリーンロックを解除し、第２取得サブモジュール６１は所定のａｃｔｉｏｎパラメータを含んだ配置情報に基づき、当該ａｃｔｉｏｎパラメータを含むことが声明されるアプリケーション内インターフェースを特定し、第２処理サブモジュール６２は暗黙的な呼び出しにより、当該アプリケーション内インターフェースにジャンプさせる。
【００７５】
実際の応用では、あるａｃｔｉｏｎパラメータを含むことが声明されるアプリケーション内インターフェースは１つあってもよく、複数あってもよい。あるａｃｔｉｏｎパラメータを含むことが声明されるアプリケーション内インターフェースの数が１つである場合には、第２処理サブモジュール６２は暗黙的な呼び出しにより、直接当該アプリケーション内インターフェースにジャンプしてもよい。あるａｃｔｉｏｎパラメータを含むことが声明されるアプリケーション内インターフェースが複数である場合には、ユーザの必要に応じて、ジャンプすべきインターフェースをさらに特定する。
【００７６】
それ相応に、図６Ｂに示すように、図６Ｂは別の一実施例にかかるロック解除の装置を示す構成図であり、図６Ａに示す実施形態に加えて、第２取得サブモジュール６１は、具体的に、
全てのインターフェースからａｃｔｉｏｎパラメータを含むことが声明される全てのアプリケーション内インターフェースを選別するように構成される選別手段６１１と、
選別手段６１１が選別した前記ａｃｔｉｏｎパラメータを含むことが声明される全てのアプリケーション内インターフェースが１つであれば、前記アプリケーション内インターフェースを第１アプリケーション内インターフェースと特定するように構成される第１配置手段６１２と、
選別手段６１１が選別した前記ａｃｔｉｏｎパラメータを含むことが声明される全てのアプリケーション内インターフェースが複数であれば、前記ａｃｔｉｏｎパラメータを含むことが声明される全てのアプリケーション内インターフェースをユーザにプッシュするように構成されるプッシュ手段６１３と、
プッシュ手段６１３がプッシュした前記ａｃｔｉｏｎパラメータを含むことが声明される全てのアプリケーション内インターフェースからユーザに選ばれたインターフェースを第１アプリケーション内インターフェースであると特定するように構成される第２配置手段６１４と、を備えてもよい。
【００７７】
実際の応用場面を例にして説明すると、
ロック解除モジュール４１はユーザのロック解除の操作に基づき、スクリーンロックを解除し、選別手段６１１は所定のａｃｔｉｏｎパラメータを含んだ配置情報に基づき、まず全てのアプリケーション内インターフェースから当該ａｃｔｉｏｎパラメータを含むことが声明される全てのアプリケーション内インターフェースを選別し、当該ａｃｔｉｏｎパラメータを含むことが声明されるアプリケーション内インターフェースの数に基づき、もし当該ａｃｔｉｏｎパラメータを含むことが声明されるアプリケーション内インターフェースの数が１つであれば、第１配置手段６１２は当該アプリケーション内インターフェースをジャンプすべきアプリケーション内インターフェースと特定し、第２処理サブモジュール６２は暗黙的な呼び出しにより、当該アプリケーション内インターフェースにジャンプする。もし当該ａｃｔｉｏｎパラメータを含むことが声明されるアプリケーション内インターフェースの数が複数であれば、プッシュ手段６１３はこれらのアプリケーション内インターフェースをユーザにプッシュし、第２配置手段６１４はその中からユーザが選んだインターフェースをジャンプすべきアプリケーション内インターフェースと特定し、第２処理サブモジュール６２は暗黙的な呼び出しにより、当該アプリケーション内インターフェースにジャンプする。
【００７８】
ただし、前記ａｃｔｉｏｎパラメータは必要に応じて設けても良い。例えば、システムＡＣＴＩＯＮ定量の「ｍｉｕｉ．ｆｉｎｇｅｒｐｒｉｎｔ．ｑｕｉｃｋｌａｕｎｃｈ」でもよい。本実施例では、第２処理サブモジュールが暗黙的な呼び出しにより、スクリーンロックを解除してからジャンプすべきアプリケーション内インターフェースを新しく追加すべきである時には、当該アプリケーション内インターフェースにおいて配置情報中のａｃｔｉｏｎパラメータを声明すればよい。
【００７９】
要するに、本実施例にかかるロック解除の装置では、配置情報はａｃｔｉｏｎパラメータを含み、当該配置情報に基づき、スクリーンロックを解除した後に、当該ａｃｔｉｏｎパラメータを含むことが声明されるアプリケーション内インターフェースに基づき、ジャンプすべきアプリケーション内インターフェースを特定し、さらに暗黙的な呼び出しにより、相応のアプリケーション内インターフェースにジャンプするため、ユーザの操作が簡略化され、ユーザの操作の煩雑さが低下され、かつ、スクリーンロックを解除してからジャンプすべきアプリケーション内インターフェースを新しく追加すべきである時には、当該アプリケーション内インターフェースにおいて配置情報中のａｃｔｉｏｎパラメータを声明すればよいため、配置の利便性が向上する。以上はロック解除の装置にかかる内部機能および構成を記述した。
【００８０】
図７は一実施例にかかるロック解除の装置を示すブロック図であり、図７に示すように、当該装置は、
プロセッサと、
プロセッサの実行可能な指令を記憶するためのメモリと、に実現されてもよい。
【００８１】
ただし、前記プロセッサは、ユーザのロック解除の操作に基づき、スクリーンロックを解除し、あらかじめ配置された配置情報に基づき、第１アプリケーション内インターフェースにジャンプするように構成される。前記アプリケーション内インターフェースとはアプリケーションのホームインターフェース以外の当該アプリケーションにかかる他のインターフェースを指し、前記配置情報は前記第１アプリケーション内インターフェースを表示するために用いられる。
【００８２】
本実施例にかかるロック解除の装置では、ユーザがロック解除の操作により、スクリーンロックの解除をトリガーした後に、あらかじめ配置された配置情報に基づき、相応のアプリケーション内インターフェースに直接ジャンプする。当該アプリケーション内インターフェースとはアプリケーションのホームインターフェース以外のインターフェースである。当該端末がスクリーンロックされた状態において、ユーザはロック解除をトリガーする動作をするだけで、相応のアプリケーション内インターフェースにジャンプされ、スクリーンのロック解除からアプリケーションの選び、そして当該アプリケーションにおけるアプリケーション内インターフェースに至るまでの所要時間が大幅に減少され、これにより、ユーザの操作が簡略化され、ユーザの操作の煩雑さが低下される。
【００８３】
図８は一実施例にかかるロック解除の装置８００を示すブロック図である。例えば、ロック解除の装置８００は、携帯電話、コンピュータ、タブレットデバイス、医療設備、フィットネス機器、ＰＤＡなどであってもよい。
【００８４】
図８を参照すると、ロック解除の装置８００は、処理ユニット８０２、メモリ８０４、電源ユニット８０６、マルチメディアユニット８０８、オーディオユニット８１０、入力/出力（Ｉ／Ｏ）インターフェース８１２、センサユニット８１４、および、通信ユニット８１６のうちの１つまたは複数を含んでもよい。
【００８５】
処理ユニット８０２は、通常は、表示、電話発呼、データ通信、カメラ操作および記録操作に関連する操作のような、ロック解除の装置８００の全般操作を制御する。処理ユニット８０２は、上記方法の全部または一部のステップを実施させるように、指令を実行するための１つまたは複数のプロセッサ８２０を含んでもよい。また、処理ユニット８０２は、処理ユニット８０２と他のユニットとの間の相互作用を容易にするように、１つ又は複数のモジュールを含んでもよい。例えば、処理ユニット８０２は、マルチメディアユニット８０８と処理ユニット８０２との間の相互作用を容易にするように、マルチメディアモジュールを含んでもよい。
【００８６】
メモリ８０４は、各タイプのデータを記憶してロック解除の装置８００での操作をサポートするように構成される。これらのデータの例示は、ロック解除の装置８００で操作するための任意のアプリケーションもしくは方法の指令、連絡人データ、電話帳データ、メッセージ、ピクチャ、ビデオなどを含む。メモリ８０４は、如何なる種別の揮発性もしくは不揮発性記憶装置またはそれらの組合せで実現されてもよい。例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【００８７】
電源ユニット８０６は、ロック解除の装置８００のユニットのそれぞれに電力を供給する。電源ユニット８０６は、電源管理システム、１つまたは複数の電源、並びに、ロック解除の装置８００用の電力を生成、管理および配分するに関する他のユニットを含んでもよい。
【００８８】
マルチメディアユニット８０８は、前記ロック解除の装置８００とユーザとの間に1つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャを感知するように、１つまたは複数のタッチセンサを含む。前記タッチセンサは、タッチあるいはスライド動作の境界を感知するだけではなく、前記タッチあるいはスライド操作と関連する持続時間および圧力をさらに検出することができる。一部の実施例では、マルチメディアユニット８０８は、１つのフロントカメラおよび/またはバックカメラを含む。ロック解除の装置８００が操作モード、例えば、撮影モードあるいはビデオモードであるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【００８９】
オーディオユニット８１０は、オーディオ信号を出力および/または入力するように構成される。例えば、オーディオユニット８１０は、マイク（ＭＩＣ）を備え、ロック解除の装置８００が操作モード、例えば、発呼モード、記録モードおよび音声識別モードであるとき、マイクは、外部オーディオ信号を受信するように構成される。受信されたオーディオ信号は、さらに、メモリ８０４に格納される、または、通信ユニット８１６を介して送信されることができる。一部の実施例では、オーディオユニット８１０は、オーディオ信号を出力するためのスピーカをさらに含む。
【００９０】
Ｉ/Ｏインターフェース８１２は、処理ユニット８０２とペリフェラルインターフェースモジュールとの間でインターフェースを供給するものであり、前記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【００９１】
センサユニット８１４は、様々な側面での状態推定をロック解除の装置８００に供給するための１つまたは複数のセンサを含む。例えば、センサユニット８１４は、ロック解除の装置８００のオン/オフ状態、ユニットの相対位置を検出することができ、前記ユニットは、例えば、ロック解除の装置８００のディスプレイおよびキーパッドである。センサユニット８１４は、さらに、ロック解除の装置８００もしくはロック解除の装置８００の１つのユニットの位置変更、ユーザとロック解除の装置８００との接触の存在もしくは非存在、ロック解除の装置８００の方位もしくは加速/減速およびロック解除の装置８００の温度変化をさらに検出することができる。センサユニット８１４は、如何なる物理的接触もないとき、近辺にある物体の存在を検出するための近接センサを含んでもよい。センサユニット８１４は、さらに、イメージングアプリケーションに使用される光センサ、例えばＣＭＯＳまたはＣＣＤ画像センサを含んでもよい。一部の実施例では、当該センサユニット８１４は、さらに、加速度センサ、ジャイロセンサ、磁気センサ、圧力センサまたは温度センサを含んでもよい。
【００９２】
通信ユニット８１６は、ロック解除の装置８００と他の機器間の無線または有線方式の通信ができるように構成される。ロック解除の装置８００は、通信規格に基づく無線ネットワーク、例えば、ＷｉＦｉ、２Ｇもしくは３Ｇ、またはそれらの組合せにアクセスすることができる。ある実施例では、通信ユニット８１６は、外部ブロードキャスト管理システムからのブロードキャスト信号またはブロードキャスト関連情報をブロードキャストチャネルにより受信する。ある実施例では、前記通信ユニット８１６は、さらに、短距離通信を容易にするように、ニアフィールド通信（ＮＦＣ）モジュールを含む。例えば、ＮＦＣモジュールは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【００９３】
実施例では、ロック解除の装置８００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【００９４】
実施例では、指令を含む非一時的コンピュータ読み取り可能な記憶媒体、例えば、指令を含むメモリ８０４をさらに提供し、上記指令がロック解除の装置８００のプロセッサ８２０によって実行されることで上述方法を実施させることができる。例えば、前記非一時的コンピュータ読み取り可能な記憶媒体は、ＲＯＭ、ランダムアクセスメモリ（ＲＡＭ）、ＣＤ-ＲＯＭ、磁気テープ、フロッピー（登録商標）ディスクおよび光データ記憶機器などであってもよい。
【００９５】
非一時的コンピュータ読み取り可能な記憶媒体であり、ロック解除の装置のプロセッサが前記記憶媒体中の指令を実行することで、ロック解除の装置がロック解除の方法を実行できる。前記方法は、
ユーザのロック解除の操作に基づき、スクリーンロックを解除するステップと、
あらかじめ配置された配置情報に基づき第１アプリケーション内インターフェースにジャンプするステップと、を含む。前記アプリケーション内インターフェースとはアプリケーションのホームインターフェース以外の当該アプリケーションにかかる他のインターフェースを指し、前記配置情報は前記第１アプリケーション内インターフェースを表示するために用いられる。
【００９６】
当業者に明らかに理解されるように、説明上の便宜および簡素のために、上記説明した装置の具体的な作動手順は、前記方法にかかる実施例における対応プロセスを参考してもよい。
【００９７】
当業者は明細書を考慮し、ここに公開された発明を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【００９８】
本発明が以上で記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
【００９９】
本発明は、出願番号が２０１５１０８５０３０４．１であり、出願日が２０１５年１１月２８日である中国特許出願を基に提出するものであり、当該中国特許出願の優先権を主張し、当該中国特許出願の全ての内容は、参照のため本願に援用される。
【図１Ａ】
0006442493.tif 000002
【図１Ｂ】
0006442493.tif 000003
【図１Ｃ】
0006442493.tif 000004
【図１Ｄ】
0006442493.tif 000005
【図１Ｅ】
0006442493.tif 000006
【図１Ｆ】
0006442493.tif 000007
【図２】
0006442493.tif 000008
【図３Ａ】
0006442493.tif 000009
【図３Ｂ】
0006442493.tif 000010
【図４Ａ】
0006442493.tif 000011
【図４Ｂ】
0006442493.tif 000012
【図４Ｃ】
0006442493.tif 000013
【図５】
0006442493.tif 000014
【図６Ａ】
0006442493.tif 000015
【図６Ｂ】
0006442493.tif 000016
【図７】
0006442493.tif 000017
【図８】
0006442493.tif 000018